(57)【要約】【課題】容易な製造で投写レンズを所定の位置に配置できるプロジェクターを提供する。【解決手段】プロジェクターは、光源と、光変調装置と、投写レンズ４と、投写レンズ４が挿通される挿通孔６１Ｈを有し、投写レンズ４を支持する支持機構５と、を備える。投写レンズは、複数のレンズと、複数のレンズを収納する筒状部４１、および筒状部４１から突出し、投写レンズ４が挿通孔６１Ｈに挿通された状態で回転されることにより、挿通孔６１Ｈの周縁部に係合する係合部を有する案内筒４０と、を備え、支持機構５は、挿通孔６１Ｈを有する支持部６と、係合部が挿通孔６１Ｈの周縁部に係合された係合状態で案内筒４０に挿入され、支持部６に対する投写レンズ４の回転を規制する第１ネジＳＣ１と、を備える。【選択図】図３
2018205656.tif 000002
【特許請求の範囲】
【請求項１】
光源と、
前記光源から射出された光を変調する光変調装置と、
前記光変調装置で変調された光を投写する投写光学装置と、
前記投写光学装置が挿通される挿通孔を有し、前記投写光学装置を支持する支持機構と、を備え、
前記投写光学装置は、
光軸に沿って配置された複数のレンズと、
前記複数のレンズを収納する筒状部、および前記筒状部から突出し、当該投写光学装置が前記挿通孔に挿通された状態で回転されることにより、前記挿通孔の周縁部に係合する係合部を有するレンズ筐体と、
を備え、
前記支持機構は、
前記挿通孔を有する支持部と、
前記係合部が前記周縁部に係合された係合状態で、前記支持部または前記レンズ筐体に挿入され、前記支持部に対する前記投写光学装置の回転を規制する第１ネジと、
を備えることを特徴とするプロジェクター。
【請求項２】
請求項１に記載のプロジェクターであって、
前記筒状部は、前記投写光学装置が光を投写する側とは反対側の端面に前記第１ネジが挿入される第１ネジ穴を有し、
前記支持部は、前記係合状態で前記第１ネジ穴を開口させる開口部を有していることを特徴とするプロジェクター。
【請求項３】
請求項１または請求項２に記載のプロジェクターであって、
複数の前記光変調装置、および前記複数の前記光変調装置でそれぞれ変調された光を合成する合成光学装置を備え、
前記投写光学装置は、前記合成光学装置で変調された光を投写し、
前記支持部は、前記合成光学装置を支持する合成装置支持部を有していることを特徴とするプロジェクター。
【請求項４】
請求項３に記載のプロジェクターであって、
前記第１ネジは、前記光軸に沿う方向から見て、前記合成光学装置の前記合成装置支持部側とは反対側で、前記合成光学装置の外側に設けられていることを特徴とするプロジェクター。
【請求項５】
請求項１〜請求項４のいずれか一項に記載のプロジェクターであって、
前記支持機構は、前記光軸に沿う方向において、前記投写光学装置および前記支持部を互いが離間する方向に付勢する付勢部を備え、
前記係合部は、前記付勢部の付勢力によって前記周縁部に当接していることを特徴とするプロジェクター。
【請求項６】
請求項５に記載のプロジェクターであって、
前記付勢部は、
前記光軸を囲む環状に形成されたベース部と、
前記ベース部の内側から突出する複数の内側突出部と、
を有し、
前記ベース部が前記支持部および前記レンズ筐体の一方に当接し、前記複数の内側突出部が前記支持部および前記レンズ筐体の他方に当接して前記投写光学装置および前記支持部を付勢することを特徴とするプロジェクター。
【請求項７】
請求項１〜請求項４のいずれか一項に記載のプロジェクターであって、
前記支持機構は、前記支持部と前記投写光学装置とを固定する第２ネジを備えていることを特徴とするプロジェクター。
【請求項８】
請求項１〜請求項７のいずれか一項に記載のプロジェクターであって、
前記複数のレンズは、前記光軸に沿って移動可能な移動レンズ群、および前記複数のレンズの中で最も光入射側に位置する第１レンズを有し、
前記レンズ筐体は、前記移動レンズ群の移動を案内する案内筒であり、
前記第１レンズは、前記案内筒に固定されていることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光を投写光学装置によって投写するプロジェクターが知られている。そして、投写光学装置をプロジェクター内の所定の位置に配置するための構造が開示されている（例えば、特許文献１参照）。
【０００３】
特許文献１に記載のプロジェクター（投写型表示装置）は、光変調ユニット、クロスダイクロイックプリズム、合成ベース、投写レンズ、上部取付金具、および下部取付金具とから構成されるユニットを備える。合成ベースは、平面視矩形の箱状の部位を有している。投写レンズは、フランジ部を有し、合成ベースの箱状の部位側から挿通されたネジがフランジ部にネジ止めされることによって合成ベースに固定されている。
【先行技術文献】
【特許文献】
【０００４】
【特許文献１】特開２００５−１４０８９５号公報
【発明の概要】
【発明が解決しようとする課題】
【０００５】
しかしながら、特許文献１に記載の構造は、部品点数が多く、また、合成ベースの箱状の部位の奥まった位置、すなわち組立作業者が見えずらい位置に設けられた位置決めピンに投写レンズの位置を合わせることや、投写レンズを支えながらネジ止めするという構造なので製造工程が煩雑化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を変調する光変調装置と、前記光変調装置で変調された光を投写する投写光学装置と、前記投写光学装置が挿通される挿通孔を有し、前記投写光学装置を支持する支持機構と、を備え、前記投写光学装置は、光軸に沿って配置された複数のレンズと、前記複数のレンズを収納する筒状部、および前記筒状部から突出し、当該投写光学装置が前記挿通孔に挿通された状態で回転されることにより、前記挿通孔の周縁部に係合する係合部を有するレンズ筐体と、を備え、前記支持機構は、前記挿通孔を有する支持部と、前記係合部が前記周縁部に係合された係合状態で、前記支持部または前記レンズ筐体に挿入され、前記支持部に対する前記投写光学装置の回転を規制する第１ネジと、を備えることを特徴とする。
【０００８】
この構成によれば、投写光学装置は、支持部の挿通孔に挿通された状態で回転されることにより、係合部が挿通孔の周縁部に係合して係合状態となる。そして、投写光学装置は、この係合状態で第１ネジによって支持部に対する回転が規制され、支持部に固定される。これによって、少ない部品点数で、また、容易な製造で投写光学装置を所定の位置に配置できるプロジェクターの提供が可能となる。
【０００９】
［適用例２］上記適用例に係るプロジェクターにおいて、前記筒状部は、前記投写光学装置が光を投写する側とは反対側の端面に前記第１ネジが挿入される第１ネジ穴を有し、前記支持部は、前記係合状態で前記第１ネジ穴を開口させる開口部を有していることが好ましい。
【００１０】
この構成によれば、投写光学装置は、支持部の開口部から挿通され、上述した端面の第１ネジ穴に挿入された第１ネジによって、支持部に対する回転が規制される。すなわち、筒状部を形成する外周壁を利用して第１ネジによる投写光学装置の回転を規制する構造が可能となる。これによって、投写光学装置にネジ穴を有するフランジ部を設ける構成に比べ、投写光学装置を小型化に形成しつつ、容易な製造で投写光学装置を支持できる構成が可能となる。
【００１１】
［適用例３］上記適用例に係るプロジェクターにおいて、複数の前記光変調装置、および前記複数の前記光変調装置でそれぞれ変調された光を合成する合成光学装置を備え、前記投写光学装置は、前記合成光学装置で変調された光を投写し、前記支持部は、前記合成光学装置を支持する合成装置支持部を有していることが好ましい。
【００１２】
この構成によれば、少ない部品点数で、また、よりコンパクトに投写光学装置および合成光学装置を支持する構造を実現することが可能となる。
また、合成光学装置と、この合成光学装置で合成された光を投写する投写光学装置とが支持部に支持される構成なので、それぞれが異なる部材に支持される構成に比べ、合成光学装置と投写光学装置との相対位置精度を容易に向上させることが可能となる。よって、容易な製造で画像の品質を高めた投写が可能なプロジェクターの提供が可能となる。
【００１３】
［適用例４］上記適用例に係るプロジェクターにおいて、前記第１ネジは、前記光軸に沿う方向から見て、前記合成光学装置の前記合成装置支持部側とは反対側で、前記合成光学装置の外側に設けられていることが好ましい。
【００１４】
この構成によれば、支持部に投写光学装置および合成光学装置が支持されたユニットの状態において、外部から第１ネジを回転させることができる。よって、合成光学装置が支持部に支持された状態で投写光学装置の修理や交換を容易に行うことができる。
【００１５】
［適用例５］上記適用例に係るプロジェクターにおいて、前記支持機構は、前記光軸に沿う方向において、前記投写光学装置および前記支持部を互いが離間する方向に付勢する付勢部を備え、前記係合部は、前記付勢部の付勢力によって前記周縁部に当接していることが好ましい。
【００１６】
この構成によれば、挿通孔の周縁部と係合部とを所定の部位で確実に当接させることが可能となる。よって、支持部に対する投写光学装置の倒れを抑制することができるので、挿通孔の周縁部および係合部における所定の部位以外の部位の形状公差の緩和が可能となる。よって、容易な製造で投写光学装置を所定の位置に配置し、画質の良好な画像を投写するプロジェクターの提供が可能となる。
【００１７】
［適用例６］上記適用例に係るプロジェクターにおいて、前記付勢部は、前記光軸を囲む環状に形成されたベース部と、前記ベース部の内側から突出する複数の内側突出部と、を有し、前記ベース部が前記支持部および前記レンズ筐体の一方に当接し、前記複数の内側突出部が前記支持部および前記レンズ筐体の他方に当接して前記投写光学装置および前記支持部を付勢することが好ましい。
【００１８】
この構成によれば、付勢部は、光軸を囲む環状のベース部が支持部およびレンズ筐体の一方に当接し、複数の内側突出部が他方に当接して投写光学装置および支持部を付勢する。これによって、付勢部を一体化して構成するとともに、バランスよく投写光学装置および支持部を付勢することが可能となる。よって、付勢部を備える構成であっても、部品点数の増加を抑制し、また、容易な製造で支持部に対する投写光学装置の倒れを抑制したプロジェクターの提供が可能となる。
【００１９】
［適用例７］上記適用例に係るプロジェクターにおいて、前記支持機構は、前記支持部と前記投写光学装置とを固定する第２ネジを備えていることが好ましい。
【００２０】
この構成によれば、第１ネジと第２ネジとで、挿通孔の周縁部と係合部とを所定の部位で確実に当接させることが可能となる。よって、支持部に対する投写光学装置の倒れを抑制することができるので、挿通孔の周縁部および係合部における所定の部位以外の部位の形状公差の緩和が可能となる。よって、容易な製造で投写光学装置を所定の位置に配置し、画質の良好な画像を投写するプロジェクターの提供が可能となる。
【００２１】
［適用例８］上記適用例に係るプロジェクターにおいて、前記複数のレンズは、前記光軸に沿って移動可能な移動レンズ群、および前記複数のレンズの中で最も光入射側に位置する第１レンズを有し、前記レンズ筐体は、前記移動レンズ群の移動を案内する案内筒であり、前記第１レンズは、前記案内筒に固定されていることが好ましい。
【００２２】
この構成によれば、移動レンズ群を収納する部材と第１レンズを収納する部材とが別体で形成され、それぞれの部材同士が接続された構成に比べ、投写光学装置の構成部品数を減らすことができる。また、第１レンズの近傍に係合部を配設しても、係合部近傍の大型化を抑制して挿通孔の周縁部に確実に係合される強度を有する係合部を形成することが可能となる。
【図面の簡単な説明】
【００２３】
【図１】第１実施形態のプロジェクターの概略構成を示す模式図。
【図２】第１実施形態のサブユニットの斜視図。
【図３】第１実施形態のサブユニットの分解斜視図であり、前方斜めから見た図。
【図４】第１実施形態のサブユニットの分解斜視図であり、後方斜めから見た図。
【図５】第１実施形態のサブユニットの部分断面図。
【図６】第１実施形態のサブユニットの部分断面図であり、第１ネジ近傍を示す図。
【図７】第２実施形態のサブユニットの分解斜視図。
【図８】第２実施形態のサブユニットの部分断面図。
【発明を実施するための形態】
【００２４】
（第１実施形態）
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００２５】
〔プロジェクターの主な構成〕
図１は、本実施形態のプロジェクター１の概略構成を示す模式図である。
図１に示すように、プロジェクター１は、外装を構成する外装筐体２、制御部（図示省略）、および光源装置３１を有する光学ユニット３を備えている。なお、図示は省略するが、外装筐体２の内部には、さらに、冷却ファン等を備えた冷却装置、制御部や光源装置３１等に電力を供給する電源装置等が配置されている。
【００２６】
外装筐体２は、詳細な説明は省略するが、複数の部材で構成され、外気を取り込む吸気口、および外装筐体２内部の温まった空気を外部に排気する排気口等が設けられている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２８】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、電気光学装置３５、投写光学装置としての投写レンズ４、支持機構５、およびこれらの部材を光路上の所定位置に配置する光学部品用筐体３７を備える。
【００２９】
光源装置３１は、超高圧水銀ランプやメタルハライドランプ等からなる放電型の光源３１１、およびリフレクター３１２等を備える。
詳細な説明は省略するが、光源３１１は、対向して配置される一対の電極を有し、この一対の電極に電力が供給されることによって電極間でアーク放電が発生して光を射出する。光源装置３１は、光源３１１から射出された光をリフレクター３１２にて反射し、インテグレーター照明光学系３２に向けて射出する。
【００３０】
インテグレーター照明光学系３２は、レンズアレイ３２１，３２２、偏光変換素子３２３、および重畳レンズ３２４を備える。
レンズアレイ３２１は、小レンズがマトリクス状に配列された構成を有しており、光源装置３１から射出された光を複数の部分光に分割する。レンズアレイ３２２は、レンズアレイ３２１と略同様の構成を有しており、重畳レンズ３２４と共に、部分光を後述する光変調装置３５１に略重畳させる。偏光変換素子３２３は、レンズアレイ３２２から射出されたランダム光を光変調装置３５１で利用可能な偏光光に揃える機能を有している。
【００３１】
色分離光学系３３は、ダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する。
【００３２】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３３】
電気光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。光変調装置３５１は、図示しない複数の微小画素がマトリクス状に形成された矩形状の画素領域を有し、入射する色光を変調してこの画素領域内に各色光の表示画像を形成する。
【００３４】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、光変調装置３５１Ｒ，３５１Ｂにて変調されたＲ光およびＢ光を反射し、光変調装置３５１Ｇにて変調されたＧ光を透過して、各色光を合成する。
【００３５】
投写レンズ４は、光軸４Ａｘに沿って配置された複数のレンズを有し、クロスダイクロイックプリズム３５２にて合成された光を投写面に拡大投写する。
【００３６】
支持機構５は、クロスダイクロイックプリズム３５２および投写レンズ４を支持する。クロスダイクロイックプリズム３５２および投写レンズ４が支持された状態の支持機構５をサブユニット５Ｕとし、このサブユニット５Ｕは、ネジ（図示省略）等によって光学部品用筐体３７に取り付けられている。なお、以下では説明の便宜上、投写レンズ４において、光が入射する側（クロスダイクロイックプリズム３５２側）を後側、光が射出される側を前側として記載する。また、プロジェクター１が机上等に載置された状態の上方を上側として記載する。
【００３７】
図２は、サブユニット５Ｕの斜視図であり、後方斜めから見た図である。
支持機構５は、後で詳細に説明するが、図２に示すように、支持部６および第１ネジＳＣ１を備える。
投写レンズ４は、光軸４Ａｘに沿う方向を中心に回転されることによって支持部６に係合され、第１ネジＳＣ１によって回転が規制されて支持部６に支持される。クロスダイクロイックプリズム３５２は、支持部６に接着固定される。
【００３８】
〔投写レンズの主な構成〕
ここで、投写レンズ４について説明する。なお、以下に示す図は、投写レンズ４を構成する部材について、支持機構５と密接な関係を有する部材を示し、他の部材を省略した図である。
図３は、サブユニット５Ｕの分解斜視図であり、前方斜めから見た図である。図４は、サブユニット５Ｕの分解斜視図であり、後方斜めから見た図である。図５は、サブユニット５Ｕの部分断面図であり、投写レンズ４の後側近傍を示す図である。
【００３９】
投写レンズ４は、複数のレンズに加え、レンズ筐体としての案内筒４０（図３〜図５参照）、および図示しないカム筒、フォーカス筒を備えている。
複数のレンズは、この複数のレンズの中で最も後側（光入射側、クロスダイクロイックプリズム３５２）に位置する後側レンズ４Ｌａ（図５参照）、および図示しない複数の移動レンズ群、前側レンズを有している。
【００４０】
後側レンズ４Ｌａは、案内筒４０の加締め等の加工によって、案内筒４０内の後側端部近傍に固定されている。後側レンズ４Ｌａは、第１レンズに相当する。
複数の移動レンズ群は、それぞれが１つや複数のレンズで構成され、それぞれが図示しないレンズ枠に保持されている。このレンズ枠は、移動レンズ群の外周を保持する枠部、および枠部から突出する複数のカムピンを有している。各々がレンズ枠に保持された複数の移動レンズ群は、案内筒４０内に配置され、光軸４Ａｘに沿って移動可能に構成されている。
前側レンズは、フォーカス筒内に固定されている。
【００４１】
案内筒４０は、ガラス繊維入りのＰＣ（polycarbonate）等の合成樹脂製であり、図３に示すように、筒状部４１、および筒状部４１から突出する第１突起部４２、および第２突起部４３を有している。なお、案内筒４０は、合成樹脂に限らず、アルミニウム等の金属で形成してもよい。
筒状部４１は、大円筒部４１Ａおよび小円筒部４１Ｂを有し、複数のレンズを収納する。
大円筒部４１Ａの内面には、ネジ溝４１１が形成されている。小円筒部４１Ｂは、大円筒部４１Ａの後側に設けられ、大円筒部４１Ａの外径より小さな外径を有している。
【００４２】
また、筒状部４１には、大円筒部４１Ａと小円筒部４１Ｂとで形成される段差部から後方に向けて光軸４Ａｘに沿って形成された複数の直進孔４１２が形成されている。
直進孔４１２は、光軸４Ａｘを中心とする円周方向に複数設けられ、前述したカムピンが挿通され、レンズ枠を、光軸４Ａｘに対して円周方向に回転することを阻止しながら、光軸４Ａｘに沿って案内する。
【００４３】
第１突起部４２は、直進孔４１２の後方に設けられ、光軸４Ａｘを中心とする円周方向に沿って延出している。図４に示すように、第１突起部４２の後側、すなわち、投写レンズ４が光を投写する側とは反対側の端面４２Ｓは、平坦に形成されている。そして、この端面４２Ｓには、第１ネジ穴４２１が形成されている。第１ネジ穴４２１は、投写レンズ４が支持部６に係合された係合状態で、端面４２Ｓにおける下側の部位に設けられている。
【００４４】
第２突起部４３は、図４に示すように、後側レンズ４Ｌａの近傍で、第１突起部４２から後方に所定距離隔てて設けられ、光軸４Ａｘを中心とする円周方向に断続的に形成されている。本実施形態の第２突起部４３は、光軸４Ａｘを中心とする円周方向に略１２０°の間隔で３つ設けられている。３つの第２突起部４３の内の１つの第２突起部４３ａは、投写レンズ４の係合状態で下側に位置している。そして、この第２突起部４３ａには、第１ネジ穴４２１を後方から見て開口させる切欠き４３１が形成されている。この切欠き４３１の内径は、第１ネジＳＣ１のネジ頭を通過させる大きさに形成されている。なお、第２突起部４３の数は、３つに限定されるものではなく、３つ以外の数で構成されてもよい。第１突起部４２および第２突起部４３は、支持部６の後述する挿通孔６１Ｈの周縁部に係合する係合部に相当する。
【００４５】
図示しないカム筒は、小円筒部４１Ｂ（図３参照）が嵌挿される円筒状に形成され、案内筒４０に対して光軸４Ａｘを中心として回転可能に形成されている。カム筒は、案内筒４０の第１突起部４２および、第２突起部４３を露出する長さに形成され、内面には、直進孔４１２から突出するカムピンが係合されるカム溝が形成されている。カム筒は、案内筒４０に対して回転されることによって直進孔４１２とカム溝とでカムピンを誘導し、複数の移動レンズ群を移動させる。すなわち、投写レンズ４は、カム筒が回転されることによってズームの調整が行われる。
【００４６】
図示しないフォーカス筒は、円筒状に形成され、前側レンズを収納する。フォーカス筒の外面には、案内筒４０のネジ溝４１１（図３参照）に螺合するネジ溝が設けられ、案内筒４０に対して回転可能に構成されている。投写レンズ４は、フォーカス筒が回転されることによってフォーカスの調整が行われる。
【００４７】
〔支持機構の構成〕
次に、支持機構５について詳細に説明する。
支持機構５は、前述したように、また、図３、図４に示すように、支持部６および第１ネジＳＣ１を備える。
支持部６は、例えば、強化繊維が含有されたＰＰＳ（Poly Phenylene Sulfide）等の合成樹脂で形成され、投写レンズ４を支持する第１支持部６１、およびクロスダイクロイックプリズム３５２を支持する第２支持部６２を有している。第２支持部６２は、合成装置支持部に相当する。
【００４８】
第１支持部６１は、図３に示すように、前方から見て矩形状に形成され、中央に設けられた挿通孔６１Ｈ、挿通孔６１Ｈの周縁から前方に突出する環状突起６１１、環状突起６１１の下方に形成された壁部６１４を有している。
挿通孔６１Ｈは、投写レンズ４の後側が挿通される孔であり、投写レンズ４の第１突起部４２がガタツキなく回転可能な大きさに形成されている。また、挿通孔６１Ｈの周縁部には、複数の係合突起６１２が形成されている。
複数の係合突起６１２は、挿通孔６１Ｈ内における後側に形成され、隣り合う係合突起６１２の間に第２突起部４３が通過可能に形成されている。すなわち、本実施形態の係合突起６１２は、光軸４Ａｘを中心とする円周方向に略１２０°の間隔で３つ設けられている。
【００４９】
また、３つの係合突起６１２の内の１つの係合突起６１２ａは、挿通孔６１Ｈの周縁部における下側に位置している。この係合突起６１２ａには、投写レンズ４の係合状態で第１ネジ穴４２１（図４参照）を開口させる開口部６１３が形成されている。開口部６１３の内径は、第１ネジＳＣ１のネジ部の外径より大きく、第１ネジＳＣ１のネジ頭の外径より小さく形成されている。すなわち、開口部６１３の内径は、前述した切欠き４３１の内径より小さく形成されている。なお、係合突起６１２は、第２突起部４３が３つ以外の数で形成された場合には、その数に応じた数で形成される。
【００５０】
投写レンズ４は、隣り合う係合突起６１２の間に第２突起部４３が位置するように挿通孔６１Ｈに挿通されて回転されると、図５に示すように、係合突起６１２の両側に第１突起部４２および第２突起部４３が係合して第１支持部６１に支持される。このように、投写レンズ４は、挿通孔６１Ｈに挿通された状態で回転されることによって、挿通孔６１Ｈの周縁部に係合する。なお、本実施形態の投写レンズ４は、前方から見て時計回り方向に回転されることによって係合状態となる。
【００５１】
第１ネジＳＣ１は、係合状態のサブユニット５Ｕにおける支持部６の後方から投写レンズ４に挿入される（図２参照）。
投写レンズ４は、図５に示すように、係合状態において、第１突起部４２が係合突起６１２の前方に位置し、第２突起部４３が係合突起６１２の後方に位置している。すなわち、サブユニット５Ｕは、第１ネジＳＣ１が挿入される前に、開口部６１３が切欠き４３１（図４参照）から露出し、第１ネジ穴４２１が開口部６１３から露出するように形成されている。
【００５２】
そして、第１ネジＳＣ１は、切欠き４３１から露出する開口部６１３から第１突起部４２の第１ネジ穴４２１に挿入される。その結果、第１ネジＳＣ１が挿入された投写レンズ４は、支持部６に対する回転が規制される。なお、第１ネジＳＣ１が第１ネジ穴４２１に挿入されるとは、第１ネジ穴４２１がネジ溝を有し、第１ネジＳＣ１がこのネジ溝に螺合されること、あるいは、第１ネジ穴４２１が丸穴に形成され、タッピングネジとして構成された第１ネジＳＣ１が、回転されることによってこの丸穴に侵入することをいう。
【００５３】
第２支持部６２は、図５に示すように、第１支持部６１の上側から後方に延出しており、光軸４Ａｘの上方に位置し、光軸４Ａｘに平行となる平面６２１を有している。
クロスダイクロイックプリズム３５２は、この平面６２１に接着剤を介して固定されている。
【００５４】
図６は、サブユニット５Ｕの部分断面図であり、第１ネジＳＣ１近傍を示す図である。
第１ネジＳＣ１は、図２、図６に示すように、後方から見てクロスダイクロイックプリズム３５２の下方に位置するように配置されている。このように、第１ネジＳＣ１は、光軸４Ａｘを挟んで第２支持部６２とは反対側で、光軸４Ａｘに沿う方向から見て、クロスダイクロイックプリズム３５２の外側に設けられている。すなわち、第１ネジＳＣ１は、サブユニット５Ｕの状態で、ネジ締めおよびネジ緩めが可能な位置に設けられている。
【００５５】
以上説明したように、本実施形態によれば、以下の効果を得ることができる。
（１）投写レンズ４は、挿通孔６１Ｈに挿通された状態で回転されることにより、係合状態となり、この係合状態で第１ネジＳＣ１によって支持部６に対する回転が規制されて支持部６に固定される。これによって、少ない部品点数で、また、容易な製造で投写レンズ４を所定の位置に配置できるプロジェクター１の提供が可能となる。
【００５６】
（２）第１ネジ穴４２１が案内筒４０に設けられ、第１ネジＳＣ１は、投写レンズ４が光を投写する側とは反対側から第１ネジ穴４２１に挿入される。これによって、投写レンズ４にネジ穴を有するフランジ部を設ける構成に比べ、投写レンズ４を小型化に形成しつつ、容易な製造で投写レンズ４を支持できる構成が可能となる。
【００５７】
（３）支持部６がクロスダイクロイックプリズム３５２を支持する第２支持部６２を有しているので、少ない部品点数で、また、よりコンパクトに投写レンズ４およびクロスダイクロイックプリズム３５２を支持する構造を実現することが可能となる。
また、クロスダイクロイックプリズム３５２と、このクロスダイクロイックプリズム３５２で合成された光を投写する投写レンズ４とが支持部６に支持される構成なので、それぞれが異なる部材に支持される構成に比べ、クロスダイクロイックプリズム３５２と投写レンズ４との相対位置精度を容易に向上させることが可能となる。よって、容易な製造で画像の品質を高めた投写が可能なプロジェクター１の提供が可能となる。
【００５８】
（４）第１ネジＳＣ１は、サブユニット５Ｕの状態で、ネジ締めおよびネジ緩めが可能な位置に設けられている。これによって、クロスダイクロイックプリズム３５２が支持部６に支持された状態で投写レンズ４の修理や交換を容易に行うことができる。
【００５９】
（５）後側レンズ４Ｌａは、移動レンズ群が収納される案内筒４０に固定されている。これによって、移動レンズ群を収納する部材と後側レンズ４Ｌａを収納する部材とが別体で形成され、それぞれの部材同士が接続された構成（本実施形態とは異なる構成）に比べ、投写レンズ４の構成部品数を減らすことができる。また、後側レンズ４Ｌａの近傍に第２突起部４３を配設しても、第２突起部４３近傍の大型化を抑制して係合突起６１２に確実に係合される強度を有する第２突起部４３を形成することが可能となる。
【００６０】
（第２実施形態）
以下、第２実施形態に係る投写レンズ７、および支持機構８について、図面を参照して説明する。以下の説明では、第１実施形態の投写レンズ４および支持機構５と同様の構成要素には、同一符号を付し、その詳細な説明は省略または簡略化する。
支持機構８は、クロスダイクロイックプリズム３５２および投写レンズ７を支持する。クロスダイクロイックプリズム３５２および投写レンズ７が支持された状態の支持機構８をサブユニット８Ｕとする。
【００６１】
図７は、サブユニット８Ｕの分解斜視図であり、前方斜めから見た図である。
図７に示すように、投写レンズ７は、第１実施形態の投写レンズ４が備える案内筒４０とは形状が異なる案内筒７０を備える。支持機構８は、第１実施形態の支持機構５が備える支持部６とは形状が異なる支持部９、および第１ネジＳＣ１に加え、さらに付勢部１００を備えている。
【００６２】
案内筒７０は、案内筒４０における第１突起部４２（図３参照）が部分的に切り欠かれた第１突起部７２を有している。この切り欠かれた部分を切欠き７２Ｎとする。そして、本実施形態の第１突起部７２は、投写レンズ７の光軸７Ａｘを中心とする円周方向に略１２０°の間隔で３つ設けられている。切欠き７２Ｎは、サブユニット８Ｕが組み立てられる際に付勢部１００の後述する内側突出部１２０が通過可能に形成されている。
【００６３】
付勢部１００は、光軸７Ａｘに沿う方向において、投写レンズ７および支持部９を互いが離間する方向に付勢する。付勢部１００は、例えば、ステンレス等の板材からプレス加工によって形成され、図７に示すように、光軸７Ａｘを囲む環状に形成されたベース部１１０、およびベース部１１０の内側から突出する内側突出部１２０を有している。
ベース部１１０は、第１突起部７２が挿通可能な内径を有し、支持部９の環状突起６１１の端面と当接可能な大きさに形成されている。また、ベース部１１０は、円周方向に等間隔で設けられ、外側に向かって突出する３つの外側突出部１１１を有している。
【００６４】
内側突出部１２０は、光軸７Ａｘを中心とする円周方向に略１２０°の間隔で３つ設けられ、前述したように、案内筒７０の切欠き７２Ｎを通過可能に形成されている。外側突出部１１１は、３つの内側突出部１２０それぞれに対応して設けられ、各内側突出部１２０とは反対側に突出している。
付勢部１００のベース部１１０と内側突出部１２０との間には、スリット１００Ｎが設けられ、内側突出部１２０は、ベース部１１０に対する撓みが可能に形成されている。また、内側突出部１２０の略中央には、後方に突出する凸部１２１が形成されている。
【００６５】
支持部９は、図７に示すように、投写レンズ７を支持する第１支持部９１、およびクロスダイクロイックプリズム３５２を支持する第２支持部９２を有している。なお、第２支持部９２は、第１実施形態の第２支持部６２と略同様の形状を有している。
第１支持部９１は、第１実施形態の第１支持部６１（図３参照）が有さない付勢部係合突起９１１を有している。
付勢部係合突起９１１は、環状突起６１１の外側に光軸７Ａｘを中心とする円周方向に略１２０°の間隔で３つ設けられ、内側に付勢部１００の外側突出部１１１が配置されるように形成されている。３つの付勢部係合突起９１１の内の１つの付勢部係合突起９１１ａは、挿通孔６１Ｈ周縁部における下側に位置している。
【００６６】
具体的に、付勢部係合突起９１１について、付勢部係合突起９１１ａに注目して説明する。図８は、係合状態におけるサブユニット８Ｕの部分断面図であり、付勢部係合突起９１１ａ近傍を示す図である。
付勢部係合突起９１１ａは、図７、図８に示すように、壁部６１４に倣って前方に突出する底部９１１ｘ、底部９１１ｘから上方に突出する前壁９１１ｙ、および前方から見て前壁９１１ｙの左側端部から後方に延出する側壁９１１ｚを有している。このように、付勢部係合突起９１１ａは、前壁９１１ｙが環状突起６１１の端面より前方に位置し、側壁９１１ｚに対向する側が開口している。すなわち、付勢部係合突起９１１ａは、前方から見て、時計回り方向における下流側に側壁９１１ｚが設けられ、上流側の側方が開口している。
付勢部係合突起９１１ａ以外の付勢部係合突起９１１においても、前方から見て、時計回り方向における下流側に側壁９１１ｚが設けられ、上流側の側方が開口している。
【００６７】
付勢部１００は、第１支持部９１の前方から、支持部９に仮配置される。具体的に、付勢部１００は、前方から見て、各外側突出部１１１が各前壁９１１ｙの右側に位置した状態で時計回り方向に回転されて支持部９に仮配置される。付勢部１００は、仮配置された状態で、前後方向において、ベース部１１０が前壁９１１ｙと環状突起６１１との間に位置し、上下方向において、外側突出部１１１の端面が底部９１１ｘに当接して支持部９からの脱落が防止される。
【００６８】
投写レンズ７は、付勢部１００が支持部９に仮配置された状態で、第１実施形態で説明したと同様に、挿通孔６１Ｈに挿入されて回転され、支持部９に係合された係合状態となる。
具体的に、第１突起部７２が係合突起６１２に当接するまで投写レンズ７が挿通孔６１Ｈに挿入されると、付勢部１００は、内側突出部１２０が切欠き７２Ｎを通過し、ベース部１１０が第１突起部７２の前側に位置するように配置される。その後、投写レンズ７が回転されると、付勢部１００は、外側突出部１１１が側壁９１１ｚに当接して回転が規制されるので、投写レンズ７と共に回転せずに内側突出部１２０が第１突起部７２の前側の面に対向するようになる。その後、さらに投写レンズ７が回転されると、付勢部１００は、図８に示すように、凸部１２１が第１突起部７２に当接し、投写レンズ７が所定の位置まで回転されると、第２突起部４３が係合突起６１２に係合して、係合状態となる。
【００６９】
付勢部１００は、外側突出部１１１が前壁９１１ｙによって前方への移動が規制されるので、投写レンズ７および支持部９を互いが離間する方向に付勢する。具体的に、付勢部１００は、図８に示すように、ベース部１１０（外側突出部１１１）が後方から支持部９（前壁９１１ｙ）を前方に付勢し、複数の内側突出部１２０（凸部１２１）が前方から投写レンズ７（第１突起部７２）を後方に付勢する。そして、投写レンズ７および支持部９は、この付勢部１００の付勢力によって、第１突起部７２の後面と係合突起６１２（図７参照）の前面とが確実に当接する。
【００７０】
そして、投写レンズ７は、第１実施形態の投写レンズ４と同様に、係合状態で第１ネジＳＣ１が挿入されて支持部９に対する回転が規制される。
【００７１】
以上説明したように、本実施形態によれば、以下の効果を得ることができる。
（１）支持機構８は、付勢部１００を備えているので、係合突起６１２と第１突起部７２とを所定の部位（係合突起６１２の前面と、第１突起部７２の後面）で確実に当接させることが可能となる。よって、支持部９に対する投写レンズ７の倒れを抑制することができるので、所定の部位以外の部位の形状公差の緩和が可能となる。よって、容易な製造で投写レンズ７を所定の位置に配置し、画質の良好な画像を投写するプロジェクター１の提供が可能となる。
【００７２】
（２）付勢部１００は、支持部９に当接する環状のベース部１１０、および案内筒７０に当接する複数の内側突出部１２０を有している。これによって、付勢部１００を一体化して構成するとともに、バランスよく投写レンズ７および支持部９を付勢することが可能となる。よって、付勢部１００を備える構成であっても、部品点数の増加を抑制し、また、容易な製造で支持部９に対する投写レンズ７の倒れを抑制したプロジェクター１の提供が可能となる。
【００７３】
（３）支持部９は、付勢部１００を仮配置する付勢部係合突起９１１を有しているので、付勢部１００を容易に所定の位置に配置することができる。
【００７４】
（変形例）
なお、本発明は上述した実施形態に限定されず、上述した実施形態に種々の変更や改良などを加えることが可能である。変形例を以下に述べる。
【００７５】
前記実施形態の支持機構５，８は、クロスダイクロイックプリズム３５２および投写レンズ４，７を支持するように構成されているが、クロスダイクロイックプリズム３５２を支持せずに、投写レンズ４，７を支持する支持機構を構成してもよい。
【００７６】
第１実施形態の支持機構５の構成部材に加え、さらに支持部６と投写レンズ４とを固定する第２ネジ（図示省略）を備えた支持機構を構成してもよい。例えば、案内筒４０の端面４２Ｓに第２ネジ穴を設け、この第２ネジ穴を開口させる開口部を支持部６に設け、この開口部から挿通された第２ネジが第２ネジ穴に挿入される構成であってもよい。
【００７７】
第２実施形態の投写レンズ７および支持機構８は、環状のベース部１１０が支持部９に当接し、ベース部１１０に対して撓み可能な内側突出部１２０が案内筒７０に当接して投写レンズ７および支持部９を付勢するように構成されているが、この構成に限らない。例えば、環状部、およびこの環状部に対する撓みが可能な複数の可撓部を有する付勢部を構成し、環状部が案内筒に当接し、複数の可撓部が支持部に当接して投写レンズおよび支持部を付勢するように構成してもよい。
【００７８】
前記実施形態のプロジェクター１は、光変調装置３５１として透過型の液晶パネルを用いているが、反射型の液晶パネルを利用したものであってもよい。
また、前記実施形態の光変調装置３５１は、Ｒ光、Ｇ光、およびＢ光に対応する３つの光変調装置を用いた、いわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００７９】
前記実施形態の光源装置３１は、放電型の光源３１１を用いているが、その他の方式の光源や発光ダイオード、レーザー等の固体光源で構成してもよい。
【符号の説明】
【００８０】
１…プロジェクター、４，７…投写レンズ（投写光学装置）、４Ａｘ，７Ａｘ…光軸、４Ｌａ…後側レンズ（第１レンズ）、５，８…支持機構、６，９…支持部、４０，７０…案内筒（レンズ筐体）、４１…筒状部、４２，７２…第１突起部（係合部）、４３，４３ａ…第２突起部（係合部）、６１，９１…第１支持部、６１Ｈ…挿通孔、６２，９２…第２支持部（合成装置支持部）、１００…付勢部、１１０…ベース部、１２０…内側突出部、３１１…光源、３５１，３５１Ｂ，３５１Ｇ，３５１Ｒ…光変調装置、３５２…クロスダイクロイックプリズム（合成光学装置）、４２１…第１ネジ穴、６１２，６１２ａ…係合突起、６１３…開口部、ＳＣ１…第１ネジ。
【図１】
2018205656.tif 000003
【図２】
2018205656.tif 000004
【図３】
2018205656.tif 000005
【図４】
2018205656.tif 000006
【図５】
2018205656.tif 000007
【図６】
2018205656.tif 000008
【図７】
2018205656.tif 000009
【図８】
2018205656.tif 000010